(57)【要約】    【構成】香り空間システム１００は、たとえば自宅の玄関などで利用することが想定されており、玄関の天井に配置された嗅覚ディスプレイ１０、その嗅覚ディスプレイ１０を制御する情報処理装置（４）および玄関を訪れたユーザを識別するための圧力センサ（６）などを備える。嗅覚ディスプレイ１０には、複数の香源が収容されているカートリッジが装着されている。たとえば、ユーザは、体重などがユーザ情報として事前に登録し、かつ設定した噴射パターンを実行する噴射タスクを登録ことが出来る。この状態でユーザが玄関を訪れると、圧力センサによって検出された体重に基づいて所定のユーザであることが識別される。そして、そのユーザによって設定された噴射パターンに基づいて、所定の香りが玄関に放出される。    【効果】様々な人が利用する空間において、各人に対して適切な香りを放出できる。【選択図】図１
2020062415.tif 000002
【特許請求の範囲】
【請求項１】
人が通る通路を有する空間に香りを放出する、香り空間システムであって、
前記通路に関連して配置され、複数のカートリッジ装着場所の各々へ、香源を含むカートリッジを装着し、各カートリッジ内の香源から香り成分を噴射させることによって複数の香りを放出できる嗅覚ディスプレイ、
複数の人のそれぞれに対して、１つまたは２つ以上の香り成分が同時に噴射されるように、香りを対応付けたパターンを記憶する記憶手段、
前記嗅覚ディスプレイの位置を通る人を識別する識別手段、および
前記識別手段によって識別された人に対応する香りを前記パターンに基づいて放出させるとき、１つまたは２つ以上の香り成分が同時に噴射されるよう、前記嗅覚ディスプレイを制御する制御手段を備える、香り空間システム。
【請求項２】
前記パターンには、前記複数の人のそれぞれに対して、時間帯がさらに対応付けられ、
前記制御手段は、現在時刻が前記パターンの時間帯に含まれていれば、前記識別手段によって識別された人に対応する香りを前記パターンに基づいて放出するとき、１つまたは２つ以上の香り成分が同時に噴射されるよう、前記嗅覚ディスプレイを制御する、請求項１記載の香り空間システム。
【請求項３】
同一人物における複数のパターンには、時間帯毎に異なる香りが対応付けられる、請求項２記載の香り空間システム。
【請求項４】
前記制御手段は、前記識別手段によって人物が識別されなかったとき、所定の香りを放出するよう、前記嗅覚ディスプレイを制御する、請求項１ないし３のいずれかに記載の香り空間システム。
【請求項５】
前記嗅覚ディスプレイは、前記カートリッジに密着し、圧電素子で駆動する風力源を含み、
前記風力源は、前記嗅覚ディスプレイが前記制御手段によって制御されているときに駆動する、請求項１ないし４のいずれかに記載の香り空間システム。
【請求項６】
前記パターンは、噴射させる香り成分の濃度を示す、請求項１ないし５のいずれかに記載の香り空間システム。
【請求項７】
前記パターンは、噴射させる香り成分の濃度の変化を示す、請求項６記載の香り空間システム。
【請求項８】
前記パターンは、香りを連続的に放出する指示をさらに含む、請求項１ないし７のいずれかに記載の香り空間システム。
【請求項９】
前記パターンは、香りを間欠的に放出する指示をさらに含む、請求項１ないし８のいずれかに記載の香り空間システム。
【発明の詳細な説明】
【技術分野】
【０００１】
この発明は、香り空間システムに関し、特にたとえば、空間に香りを放出する、香り空間システムに関する。
【背景技術】
【０００２】
背景技術の一例が特許文献１に開示されている。この特許文献１の芳香器では、多孔性質の器体の内部空間に充満した芳香成分が多孔を介して徐々に外部に放出される。これにより、使用初期から使用終期にわたって略一定量をもって芳香成分が外部に放出されるため、周囲に安定した芳香空間を形成することが出来る。
【先行技術文献】
【特許文献】
【０００３】
【特許文献１】特開平８−１９１８８３号公報[A61L 9/12]
【発明の概要】
【発明が解決しようとする課題】
【０００４】
心地よいなどの効果を実感する芳香成分は、ユーザによって異なる。そのため、引用文献１の芳香器を多くのユーザが利用する空間に設けた場合、全てのユーザに対して適切な香りを放出することは困難である。
【０００５】
それゆえに、この発明の主たる目的は、新規な、香り空間システムを提供することである。
【０００６】
この発明の他の目的は、複数の人が通る空間で利用することができる、香り空間システムを提供することである。
【課題を解決するための手段】
【０００７】
この発明は、上記の課題を解決するために、以下の構成を採用した。なお、括弧内の参照符号および補足説明等は、この発明の理解を助けるために記述する実施形態との対応関係を示したものであって、この発明を何ら限定するものではない。
【０００８】
第１の発明は、人が通る通路を有する空間に香りを放出する、香り空間システムであって、通路に関連して配置され、複数のカートリッジ装着場所の各々へ、香源を含むカートリッジを装着し、各カートリッジ内の香源から香り成分を噴射させることによって複数の香りを放出できる嗅覚ディスプレイ、複数の人のそれぞれに対して、１つまたは２つ以上の香り成分が同時に噴射されるように、香りを対応付けたパターンを記憶する記憶手段、嗅覚ディスプレイの位置を通る人を識別する識別手段、および識別手段によって識別された人に対応する香りをパターンに基づいて放出させるとき、１つまたは２つ以上の香り成分が同時に噴射されるよう、嗅覚ディスプレイを制御する制御手段を備える、香り空間システムである。
【０００９】
第１の発明では、香り空間システム（１００：実施例において対応する部分を例示する参照符号。以下、同じ。）は、たとえば人が通る通路を有する玄関などの空間に香りを放出する。嗅覚ディスプレイ（１０）は、たとえば通路の天井に配置され、香源を含むカートリッジ（１４）が装着されており、各カートリッジ内の香源から香り成分を噴射させることによって複数の香りを放出する。記憶手段（４０４）は、たとえばデータベースと呼ばれ、複数の人のそれぞれに対して、１つまたは２つ以上の香り成分が同時に噴射される
ように、香りを対応付けたパターンを記憶する。識別手段（６）は、たとえば圧力センサであり、人の体重を利用して、嗅覚ディスプレイの位置を通る人を識別する。制御手段（４００，Ｓ４７）は、たとえば玄関に来た人が識別されると、識別された人に対応する香りを、パターンに基づいて放出させるように嗅覚ディスプレイを制御する。そして、嗅覚ディスプレイは、香りを放出する際、１つまたは２つ以上の香り成分が同時に噴射される。
【００１０】
第１の発明によれば、人に合わせて香りの種類を調整しながら香りを放出することが出来る。そのため、様々な人が利用する空間において、各人に対して適切な香りを放出できる。
【００１１】
第２の発明は、第１の発明に従属し、パターンには、複数の人のそれぞれに対して、時間帯がさらに対応付けられ、制御手段は、現在時刻がパターンの時間帯に含まれていれば、識別手段によって識別された人に対応する香りをパターンに基づいて放出するとき、１つまたは２つ以上の香り成分が同時に噴射されるよう、嗅覚ディスプレイを制御する。
【００１２】
第２の発明では、たとえば或る人には、朝の時間帯に利用されるパターンが対応付けられる。たとえば、或る人が朝の時間帯に玄関に行き、或る人であることが識別手段によって識別されると、或る人に対応する香りが玄関で放出される。
【００１３】
第２の発明によれば、設定した時間帯に香りが放出されるようにすることができるため、たとえば人が意図しないタイミングで香りが放出されないようにすることが出来る。これにより、カートリッジから香りを放出可能な期間、つまりカートリッジの寿命を延ばすことが出来る。
【００１４】
第３の発明は、第２の発明に従属し、同一人物における複数のパターンには、時間帯毎に異なる香りが対応付けられる。
【００１５】
第３の発明では、たとえば或る人には、朝の時間帯のパターンと夜の時間帯のパターンとが対応付けられる。そして、これらのパターンには異なる香りが対応付けられている。
【００１６】
第３の発明によれば、一人の人に対して、放出する香りが異なる複数の噴射タスクを対応付けることが出来る。そのため、人が空間に訪れる時間帯に応じて、適切な香りを放出することが出来る。
【００１７】
第４の発明は、第１の発明ないし第３の発明のいずれかに従属し、制御手段は、識別手段によって人物が識別されなかったとき、所定の香りを放出するよう、嗅覚ディスプレイを制御する。
【００１８】
第４の発明では、たとえば玄関に訪れた人が事前に登録されていなければ、所定の香りが放出される。
【００１９】
第４の発明によれば、空間に訪れる人を事前に予測できないような場合であっても、所定の香りが放出されるため、香りが放出されないというような事態を回避することが出来る。
【００２０】
また、たとえば不特定多数の人間が行き来するホテルのロビーなどに香り空間システムを設けた場合、識別することが出来ない人に対しては所定の香りを放出し、特定の人に対しては特定の香りを放出するということも可能である。
【００２１】
第５の発明は、第１の発明ないし第４の発明のいずれかに従属し、嗅覚ディスプレイは、カートリッジに密着し、圧電素子で駆動する風力源を含み、風力源は、嗅覚ディスプレイが制御手段によって制御されているときに駆動する。
【００２２】
第５の発明では、風力源（２６）は、香源を含むカートリッジに密着している。たとえば、圧電素子（５６）はダイヤフラム（５８）に貼り付けられている。また、圧電素子に高周波の交番電圧やパルス電圧が引火されると、ダイヤフラムが板厚方向に高速で屈曲振動し、空気の流れが発生する。そして、風力源は、嗅覚ディスプレイが制御手段によって制御されているときに駆動する。
【００２３】
第５の発明によれば、圧電素子で駆動する風力源は、ブロアファンやスクロールブロアのような回転機構では無いため、小型化および低背化が可能であり、消費電力も小さい。そのため、事実上無振動の上、短時間で高い静圧を生成できる。
【００２４】
第６の発明は、第１の発明ないし第５の発明のいずれかに従属し、パターンは、噴射させる香り成分の濃度を示す。
【００２５】
第７の発明は、第６の発明に従属し、パターンは、噴射させる香り成分の濃度の変化を示す。
【００２６】
第６の発明および第７の発明によれば、人に合わせて香りの種類および濃度を調整しながら香りを放出することが出来る。
【００２７】
第８の発明は、第１の発明ないし第７の発明のいずれかに従属し、パターンは、１つの香りを連続的に放出する指示をさらに含む。
【００２８】
第９の発明は、第１の発明ないし第８の発明のいずれかに従属し、パターンは、１つの香りを間欠的に放出する指示をさらに含む。
【００２９】
第８の発明および第９の発明によれば、人は、香りを放出する際に、連続的に放出するか、間欠的に放出するかを任意に選ぶことが出来る。
【発明の効果】
【００３０】
この発明によれば、様々な人が利用する空間において、各人に対して適切な香りを放出できる。
【００３１】
この発明の上述の目的、その他の目的、特徴および利点は、図面を参照して行う以下の実施例の詳細な説明から一層明らかとなろう。
【図面の簡単な説明】
【００３２】
【図１】図１はこの発明の一実施例の香り時計の概要を示す図解図である。
【図２】図２は図１に示す香り時計の構成の一例を示す図解図である。
【図３】図３は図１および図２に示す嗅覚ディスプレイの外観の一例を示す外観図である。
【図４】図４は図３に示す嗅覚ディスプレイの前面方向から見た内部構造の一例を概略的に示す図解図である。
【図５】図５は図３に示す嗅覚ディスプレイの側面方向から見た内部構造の一例を概略的に示す断面図であり、図４のＶ‐Ｖ線における断面を示す。
【図６】図６は図３に示す嗅覚ディスプレイが備えるディスプレイ本体の外観の一例を示す斜視図である。
【図７】図７は図６に示すディスプレイ本体のカバーを開口した様子の一例を示す図解図である。
【図８】図８は図６に示すディスプレイ本体の前面方向から見た内部構造の一例を概略的に示す断面図である。
【図９】図９は図６に示すディスプレイ本体の側面方向から見た内部構造の一例を概略的に示す断面図である。
【図１０】図１０は図３に示す嗅覚ディスプレイが備える風力源を対角線方向に切断したときの断面の一例を示す断面図である。
【図１１】図１１は図３に示す嗅覚ディスプレイが備える動作音抑制部を厚さ方向と直交する方向に切断したときの断面の一例を示す断面図である。
【図１２】図１２は図３の嗅覚ディスプレイに用いられる香源カートリッジの外観の一例を示す斜視図である。
【図１３】図１３は図１２の香源カートリッジの前面方向から見た外観の一例を示す図解図である。
【図１４】図１４は図３に示す嗅覚ディスプレイが備える制御回路の一例を示す回路図である。
【図１５】図１５は図３に示す嗅覚ディスプレイから噴射される香り成分の濃度を調整する方法の一例を説明するための図解図であり、図１５（Ａ）は濃度を普通（中程度）に調整する方法の一例を示し、図１５（Ｂ）は濃度を高い状態に調整する方法の一例を示し、図１５（Ｃ）は濃度を低い状態に調整する方法の一例を示す。
【図１６】図１６は図２に示す情報処理装置の電気的な構成の一例を示すブロック図である。
【図１７】図１７は図１６に示すアロマパターンデータベースに含まれる噴射パターンテーブルの構成の一例を示す図解図である。
【図１８】図１８は図１７に示す噴射パターンを視覚的に表した画像の一例を示す図解図であり、図１８（Ａ）は濃度が徐々に高くなるよう調整されている状態を示す画像の一例であり、図１８（Ｂ）は濃度が徐々に低くなるよう調整されている状態の一例を示す画像の一例である。
【図１９】図１９は図１６に示すメモリに記憶されるユーザ情報テーブルの構成の一例を示す図解図である。
【図２０】図２０は図１６に示すアロマパターンデータベースに含まれる噴射タスクテーブルの構成の一例を示す図解図である。
【図２１】図２１は図１に示す情報処理装置のディスプレイに表示される噴射画面の一例を示す図解図である。
【図２２】図２２は図１６に示すアロマパターンデータベースに含まれる噴射履歴テーブルの構成の一例を示す図解図である。
【図２３】図２３は図１６に示す情報処理装置のメモリのメモリマップの一例を示す図解図である。
【図２４】図２４は図１６に示す情報処理装置のプロセッサの噴射タスク作成処理の一例を示すフロー図である。
【図２５】図２５は図１６に示す情報処理装置のプロセッサの噴射タスク管理処理の一例を示すフロー図である。
【発明を実施するための形態】
【００３３】
図１−図３を参照して、この発明の一実施例である香り空間システム１００は、情報処理装置４、圧力センサ６および嗅覚ディスプレイ１０を含む。香り空間システム１００は、たとえば自宅の玄関などの通路を有する空間をユーザ（人）が通ると、そのユーザを識別して香りを放出する。
【００３４】
情報処理装置４は、一例としてタブレット端末であり、圧力センサ６および嗅覚ディス
プレイ１０と無線通信を行う。また、情報処理装置４は、近くに設けられたアクセスポイント（ＡＰ）を介して、ネットワーク上のサーバと通信を行うことも出来る。たとえば、情報処理装置４はネットワークを介して、香りを放出したときの天気や季節などの情報をサーバから取得することが出来る。なお、他の実施例では、情報処理装置４は、いわゆるスマートフォンと呼ばれる携帯電話機であってもよいし、ノート型またはデスクトップ型のＰＣであってもよい。
【００３５】
圧力センサ６は、たとえばロードセル式の圧力センサであり、ＺｉｇＢｅｅ（登録商標）方式の無線通信に対応した無線通信モジュールが接続されている。また、圧力センサ６は玄関マットの下に設けられており、玄関マットに載ったユーザの体重を検出して情報処理装置４に検出した体重を送信する。また、圧力センサ６はユーザの識別に利用されるため、識別手段と呼ばれることもある。なお、他の実施例では、面圧を検出可能なシートセンサなどが、圧力センサ６として採用されてもよい。
【００３６】
嗅覚ディスプレイ１０は、たとえば、香りを噴射する噴射口１６がユーザの顔（頭部）の方向を向くように、通路の天井に付けられてユーザの周囲に設置される。嗅覚ディスプレイ１０は、情報処理装置４の指示に従って、時間的および空間的に限られた範囲に香りを放出する。
【００３７】
なお、本実施例の嗅覚ディスプレイ１０は、映像や音を含むコンテンツに香り（嗅覚情報）を付加してユーザに放出（提示または出力）することによって、コンテンツの現実感や臨場感を高めるために用いることも出来る。たとえば、嗅覚ディスプレイ１０は、情報処理装置４や、テレビ、ラジオ、ゲーム機、カラオケ装置、カメラ、ＣＤプレイヤ、ＤＶＤプレイヤ、携帯電話（いわゆる、スマートフォンを含む）、スマートウォッチ、スマートグラスおよびＰＣなどの各種の視聴覚ディスプレイと連動して、香りを出力することも出来る。
【００３８】
図４は、嗅覚ディスプレイ１０の前面方向から見た内部構造を概略的に示す図解図であり、後述する噴射板３４を省略して嗅覚ディスプレイ１０の内部の様子を示すものである。また、図５は、図４のＶ‐Ｖ線において切断した嗅覚ディスプレイ１０の断面図であり、嗅覚ディスプレイ１０の側面方向から見た内部構造を概略的に示している。
【００３９】
図４および図５に示すように、嗅覚ディスプレイ１０は、ディスプレイ本体１２およびその内部に着脱可能に収容される複数の香源カートリッジ（以下、単に「カートリッジ」と言うこともある。）１４を備える。この実施例では、ディスプレイ本体１２には、周方向に並ぶように６つのカートリッジ１４が収容される。ただし、ディスプレイ本体１２に対して同時に収容可能なカートリッジ１４の数（後述するカートリッジ収容室２４の数）は、特に限定されない。
【００４０】
以下、嗅覚ディスプレイ１０の構成について具体的に説明する。図６−図９に示すように、ディスプレイ本体１２は、その外殻を構成する筐体２０、および筐体２０の内部空間を隔壁２２で区画することによって形成される複数のカートリッジ収容室（カートリッジ装着場所）２４を備える。また、カートリッジ収容室２４のそれぞれには、隔壁２２内に密着配置された風力源２６および動作音抑制部２８が設けられる。
【００４１】
筐体２０は、ベース部３０、側壁３２および噴射板３４を含み、アクリル樹脂等の適宜な材料によって中空の六角柱状に形成される。筐体２０の大きさは、前面視で対向する頂点間の長さがたとえば６０ｍｍであり、軸方向（前後方向）の長さがたとえば６０ｍｍである。
【００４２】
なお、図示は省略するが、ディスプレイ本体１２の内部には、制御基板を収容する制御基板室が設けられる。制御基板は、基板上にＣＰＵやメモリ等の電子部品を実装した構造（図１４参照）を有し、後述する風力源２６および補助風力源７６等と配線（図示せず）を介して接続されて、当該嗅覚ディスプレイ１０の動作を制御する。
【００４３】
ベース部３０は、正六角板状に形成され、筐体２０の後方側（ユーザとは逆側）に配置される。ベース部３０の周縁部には、側壁３２が設けられている。側壁３２は、ベース部３０の周縁部角部のそれぞれに連なるホルダ３２ａと各ホルダ３２ａ間に設けられるスライドカバー３２ｂとによって六角筒状に形成される。ホルダ３２ａの側面には、スライド溝３６が形成されており、このスライド溝３６にスライドカバー３２ｂの側面に形成される突起部（図示せず）が嵌め込まれる。これによって、スライドカバー３２ｂは、ホルダ３２ａ間を滑動可能とされる。後述するように、ホルダ３２ａ間の開口のそれぞれは、カートリッジ収容室２４のカートリッジ交換口３８として機能し、スライドカバー３２ｂは、このカートリッジ交換口３８の開閉に利用される。また、スライドカバー３２ｂは、カートリッジ１４をカートリッジ収容室２４内に収容したときに、カートリッジ１４の挿入方向後端と当接し、カートリッジ１４を挿入方向に押す作用を奏する。
【００４４】
側壁３２の前端部、つまり筐体２０の前方側には、噴射板３４が設けられている。噴射板３４は、正六角板状に形成され、側壁３２の端部開口を覆う。噴射板３４の中央部には、ドーム型の突起部４０が設けられ、この突起部４０の中央部を貫通するように、噴射板３４の厚み方向に延びる連通孔４２が形成される。この連通孔４２は、前方側に向かうに従い縮径されるテーパ状の縮径部を有し、その前方部分は直管状に形成される。突起部４０の先端開口が噴射口１６として機能し、連通孔４２は、噴射口１６と各カートリッジ収容室２４とを連通させる。なお、噴射口１６の径は、たとえば０．８ｍｍである。
【００４５】
また、筐体２０の適宜な位置（実施例では筐体２０の裏側）には、三脚の雲台に取り付けるためのねじ穴４４が形成される。この実施例では、ねじ穴の規格は、カメラ用の雲台に適合したものとされる。カメラ用の雲台のねじの規格は世界標準（1/4 inch - 20 UNC
）で統一されているので、ねじ穴の規格をそれに適合させておけば、世界各地のカメラ用の雲台を、嗅覚ディスプレイ１０を天井に設置するための雲台としてそのまま使用することができるので便利である。
【００４６】
なお、筐体２０は、たとえば照明器具を取り付ける「引掛シーリングローゼット」や、電球用のソケットを利用して天井に設置されてもよい。この場合、嗅覚ディスプレイ１０を照明用の電源に対応させれば、電源も確保できるため便利である。
【００４７】
また、筐体２０の内部空間は、対向するホルダ３２ａ同士を連結する放射状の隔壁２２によって区画され、筐体２０内には、周方向に並ぶ正三角柱状の６つのカートリッジ収容室２４が形成される。すなわち、カートリッジ収容室２４の内側面は、筐体２０の中心側に向かって収束する（つまり後述するカートリッジ１４の挿入方向に対して内向きに傾斜する）２つの傾斜面４６を有している。また、各隔壁２２の連結部分である中心軸４８は、六角柱状に形成され、ベース部３０から突出してその先端部は連通孔４２内まで延びている。中心軸４８の先端部は、外周面に溝状の切欠きを形成した先細り形状とされ、後述するカートリッジ１４の香気出口８８から吐出される香気（香り成分を含む空気）を噴射口１６方向に導くガイド部として機能する。これによって、香気の逆流や他のカートリッジ１４内への香気の浸入が防止される。
【００４８】
各カートリッジ収容室２４には、噴射板３４に形成される連通孔４２を介して噴射口１６と連通する空気送出口５０が形成される。また、各カートリッジ収容室２４には、スライドカバー３２ｂによって開閉可能なカートリッジ交換口３８が形成される。
【００４９】
さらに、各カートリッジ収容室２４には、隔壁２２に密着して風力源２６が設けられる。この風力源２６は、隔壁２２内に配置され（つまり筐体２０内に放射状に配置され）、隔壁２２の一部を構成する。風力源２６の中央部に設けられたノズル５２（図１０参照）は、カートリッジ収容室２４内と連通し、カートリッジ収容室２４に収容されたカートリッジ１４内に空気を流入させる空気供給口５４として機能する。なお、風力源２６の大きさは、たとえば、縦２０ｍｍ、横２０ｍｍ、厚さ２ｍｍである。
【００５０】
図１０は、風力源２６を対角線方向に切断したときの断面を示す。風力源２６は、圧電素子（ピエゾ素子）５６を貼り付けたダイヤフラム５８を備えており、圧電素子５６に高周波の交番電圧（正弦波電圧または矩形波電圧）やパルス電圧を印加することによって、ダイヤフラム５８を板厚方向に高速で屈曲振動させて、空気の流れを発生させる圧電式のものである。
【００５１】
以下、風力源２６の動作について簡単に説明する。風力源２６では、円板状の圧電素子５６を貼り付けたダイヤフラム５８の約２６ｋＨｚの振動に伴い、ポンプ室６０の中心部に設けられた通気孔６２から、空気の吸引と吐出が繰り返される。吸引時に吸入流路６４からポンプ室６０に取り込まれた空気は、吐出時には通気孔６２と同軸に配置された天板６６上のノズル５２を通過し、ノズル５２内のテーパ管路で膨張して吐出される。このとき、通気孔６２とノズル５２との間の空間には、ベンチュリ効果により負圧部が生じるため、通気孔６２の空気は継続して吸引される。これによって、通気孔６２からノズル５２へ向かう連続したポンプ動作が得られる。
【００５２】
このように、圧電素子５６で駆動する風力源（圧電式の風力源）２６は、ブロアファンやスクロールブロアのような回転機構では無いため、小型化および低背化が可能であり、消費電力も小さい。また、事実上無振動の上、短時間で高い静圧を生成できる特徴を有する。なお、このような風力源２６としては、たとえば株式会社村田製作所製のマイクロブロア（型番：ＭＺＢＸ００１）を用いることができる。
【００５３】
図８および図９に戻って、風力源２６の裏側（空気流路の上流側）には、風力源２６の動作音（ダイヤフラム５８の振動音）の外部への漏れを抑制するための平板状の動作音抑制部２８が設けられる。この動作音抑制部２８も、隔壁２２の一部を構成する。動作音抑制部２８は、アクリル樹脂等の適宜な材料によって形成され、ダイヤフラム５８の裏側に空洞部を形成する。この動作音抑制部２８の外気口７０（図１１参照）は、ベース部３０の周縁部に形成される外気吸入口７４を介して筐体２０の外部と連通する。なお、動作音抑制部２８の大きさは、たとえば、縦２０ｍｍ、横２０ｍｍ、厚さ２ｍｍである。
【００５４】
図１１は、動作音抑制部２８を厚さ方向と直交する方向に切断したときの断面を示す。図１１に示すように、動作音抑制部２８の側壁６８には、風力源２６の作動時に外気を吸入するための外気口７０が形成されており、動作音抑制部２８の内部は、Ｃ字状の仕切壁７２によって仕切られている。これによって、風力源２６の動作音は、迷路状の空気通路を遠回りするようにして外気口７０に到達するので、外気口７０からの動作音の漏れが抑制される。
【００５５】
また、図８および図９に戻って、ベース部３０内には、補助風力源７６が設けられる。補助風力源７６は、各カートリッジ収容室２４から独立して設けられるものであり、香気の加速、香り成分の濃度調整および消臭などに利用される。補助風力源７６としては、風力源２６と同様のもの、すなわち、圧電素子を貼り付けたダイヤフラムを備え、圧電素子に対して高周波の交番電圧が印加されるとダイヤフラムを高速振動させて空気流を発生させるものを用いるとよい。この補助風力源７６の裏側にも、動作音抑制部２８が適宜設け
られる。
【００５６】
また、中心軸４８内には、補助風力源７６のノズルから吐出された空気（無臭の空気）の通り道となる補助通路７８が形成される。補助通路７８は、補助風力源７６のノズルと連通孔４２とを直線的に連通させる貫通孔であり、連通孔４２を介して噴射口１６まで直線的に延びる。補助風力源７６が作動されると、補助風力源７６のノズルから補助通路７８内に無臭の空気が吐出される。この無臭の空気は、複雑な経路を辿ることなく噴射口１６まで直行するので、圧力低下をほぼ発生させることなく噴射口１６から噴射される。
【００５７】
このようなディスプレイ本体１２のカートリッジ収容室２４内には、カートリッジ１４が着脱可能に収容される。図１２および図１３に示すように、カートリッジ１４は、ポリエチレン或いはポリプロピレンなどの合成樹脂等によって形成される容器本体８０を備える。容器本体８０は、カートリッジ収容室２４の内面形状に隙間なく沿う外面形状を有するように、中空の正三角柱状に形成される。容器本体８０には、カートリッジ１４をカートリッジ収容室２４内に収容した際に、カートリッジ収容室２４の空気供給口５４に対向する位置に、吸気口８２が形成される（図５参照）。すなわち、容器本体８０の外側面は、カートリッジ１４の挿入方向に対して収束する２つの傾斜面８４を有しており、その一方の傾斜面８４に吸気口８２が形成される。
【００５８】
また、容器本体８０には、カートリッジ収容室２４の空気送出口５０に対向する位置に、香気出口８８が形成される（図３および図４参照）。香気出口８８のそれぞれは、連通孔４２を介して噴射口１６にほぼ直線状に連通するため、香気出口８８から送出される香気は、その勢いを低減することなく噴射口１６から噴射される。なお、吸気口８２の径および香気出口８８の径は、たとえば０．８ｍｍである。
【００５９】
また、カートリッジ１４から送出された香気が接触するディスプレイ本体１２の内部経路は、噴射板３４の連通孔４２のみであるので、ディスプレイ本体１２に対する香り成分の付着（残香）はほとんど生じない。なお、吸気口８２および香気出口８８の径は小さいので、風力源２６を作動させないときには、カートリッジ１４からの香りの漏れはほとんど発生しない。
【００６０】
容器本体８０の内部には、固形状の香源９０が収容される。固形状の香源９０は、たとえば、粒状の多孔質体に液体香料を染み込ませて（含浸させて）、多孔質体の外表面および細孔内に液体香料を保持させることによって製作される。香料としては、天然香料、合成香料、およびそれらの調合香料が適宜使用できる。多孔質体としては、ケイ酸カルシウムなどの粒状体を適宜利用できる。多孔質体の粒径および形状は特に限定されない。このように固形状の香源９０を用いることによって、香源９０から香料（香り成分）を徐々に放出させることができる。
【００６１】
カートリッジ１４をディスプレイ本体１２のカートリッジ収容室２４内に収容する際には、スライドカバー３２ｂを開状態にし、カートリッジ交換口３８から中心軸４８方向にカートリッジ１４を押し込むようにしてカートリッジ収容室２４内に収容する。その後、スライドカバー３２ｂを閉状態にすることにより、カートリッジ１４（容器本体８０）の挿入方向後端側をスライドカバー３２ｂによって抑える。したがって、ディスプレイ本体１２の空気供給口５４とカートリッジ１４の吸気口８２との接続部分は密着性が高まって適切に密着する。
【００６２】
また、カートリッジ収容室２４およびカートリッジ１４が挿入方向に対して内向きに傾斜する傾斜面４６，８４を有することから、カートリッジ収容室２４の入口部分（つまりカートリッジ交換口３８）がカートリッジ１４の挿入方向前方側の部分より大きくなる。
このため、カートリッジ収容室２４内にカートリッジ１４を挿入し易い。
【００６３】
このような構成の嗅覚ディスプレイ１０においては、目的の香源９０を収容したカートリッジ１４に対応する風力源２６の圧電素子５６に対して交番電圧を印加すると、ダイヤフラム５８が高速で屈曲振動され、外気吸入口７４から外気が吸引されると共に、風力源２６のノズル５２（空気供給口５４）から吸気口８２を介してカートリッジ１４内に高速かつ高圧の空気が送り込まれる。カートリッジ１４内の空気には、香源９０から揮発した気体状の香り成分が含まれており、その香り成分を含む空気（香気）は、香気出口８８から連通孔４２内に吐出される。
【００６４】
具体的には、嗅覚ディスプレイ１０の制御基板は、無線通信モジュール２０６（図１４参照）を介して情報処理装置４から送られてくる指示信号に応じて、目的の香源９０を収容したカートリッジ１４に対応する風力源２６の圧電素子５６に対して交番電圧を印加する。すると、ダイヤフラム５８が高速で屈曲振動され、外気吸入口７４および動作音抑制部２８などを介して風力源２６内に外気が吸引されると共に、風力源２６のノズル５２からカートリッジ１４内に高速かつ高圧の空気が送り込まれる。カートリッジ１４内の空気には、香源９０から揮発した気体状の香り成分が含まれており、その香り成分を含む空気（香気）は、香気出口８８から連通孔４２内に吐出される。
【００６５】
また、指示信号には、噴射する香り成分を示す香り情報（アロマコード：aroma code）が含まれる。また、アロマコードとは、たとえば、バナナ、りんご、バニラ、オレンジなどの香り（または香りの種類）毎に固有の番号（コード）を割り当てたものである。たとえば、嗅覚ディスプレイ１０のポート（カートリッジ収容室２４）は番号１‐６で示される。情報処理装置４が備えるアロマパターンデータベース４０４（図１６参照）には、各ポートのそれぞれにどの種類の香源９０のカートリッジが装着されているかをアロマコードで示すデバイス情報テーブルが記憶（保存）される。
【００６６】
そのため、情報処理装置４は、このデバイス情報テーブルに基づいて、指示信号を嗅覚ディスプレイ１０に出力する。そして、この指示信号には、噴射する香り成分、すなわち当該香りの香源９０が入れられたカートリッジ１４に設けられた風力源２６（圧電素子５６）の情報が含まれる。
【００６７】
また、制御基板は、情報処理装置４から送られてくる指示信号に応じて、補助風力源７６を作動させる。すなわち、補助風力源７６の圧電素子５６に対しても交番電圧を印加する。これにより、補助風力源７６のノズル５２から吐出される無臭の空気は、直線状の補助通路７８内を通って噴射口１６まで直行する。香気出口８８から連通孔４２内に吐出された香気は、補助風力源７６から吐出された無臭の空気と連通孔４２内で合流してその空気の流れに乗って香気噴射方向に加速され、情報処理装置４からの指示信号に対して殆どの時間的な遅れなしに噴射口１６から勢いよく直進性を持って噴射される。そして、風力源２６および補助風力源７６の圧電素子５６に対する交番電圧の印加が停止されると、噴射口１６からの香気の噴射も瞬時に停止される。
【００６８】
この際、圧電式の風力源２６および補助風力源７６を用いていることから、香気の噴射の開始および停止は、応答性よく実行され（つまり正確な時間制御が可能であり）、しかも、脈動的ではない一定した香りを連続して放出することも可能となる。また、補助風力源７６を備えることにより、風力源２６のみでは連通孔４２で圧力低下が生じてしまうような場合でも、カートリッジ１４から吐出された香気を香気噴射方向に適切に加速することができ、香気の噴射性能を維持ないし向上させることができる。すなわち、噴射口１６からは指向性を持って香気が勢いよく噴射され、空間的に非常に限られた範囲（つまりユーザの顔付近のみ）に対して香りを放出できる。
【００６９】
なお、風力源２６を停止した後（香りの放出後）に、補助風力源７６を作動させ続けて無臭の空気のみを噴射し、噴射した香り成分を拡散または希釈するようにすれば、香り成分をそのまま自由拡散させることと比較して、より素早い消臭が可能となる。
【００７０】
また、この実施例では６つのカートリッジ１４を備え、連通孔４２を介して１つの噴射口１６から香気を噴射するようにしている。このため、６種類の香りを個別に放出できるのはもちろんのこと、各カートリッジ１４の風力源２６を同時に或いはタイムシェアリングさせて作動させることにより、香りを調合して放出できる。たとえば、各カートリッジ１４に収容される香源９０をＡ、Ｂ、Ｃ、Ｄ、Ｅ、Ｆとすると、「Ａ+Ｂ、Ａ+Ｃ、…、Ｅ+Ｆ、…、Ｂ+Ｃ+Ｄ+Ｅ+Ｆ、Ａ+Ｂ+Ｃ+Ｄ+Ｅ+Ｆ」というように、多種類の香りを調香して提供できる。また、各風力源２６の入力信号のＤｕｔｙ比を調整すること等によって、香りを調合する割合を適宜変化させることもできる。
【００７１】
この実施例では、情報処理装置４は、指示信号に加えて、香り成分の濃度を調整するための制御信号も出力する。そして、嗅覚ディスプレイ１０は、制御信号に応じて、香り成分の濃度を調整することができる。具体的には、風力源２６および補助風力源７６を交互に作動させるとともに、その作動させる時間（以下、「作動期間」という。）および停止させる時間（以下、「停止期間」という。）を制御して、カートリッジ１４からの香気と補助風力源７６からの無臭の空気との混合割合を調整する。
【００７２】
以下、香り成分の濃度を調整（制御）する方法について説明する。本実施例では、香り成分の濃度を制御する方法としては、香気と無臭の空気とを交互に噴射させ、香気と無臭の空気とを噴射させる期間を変化させる噴射方法が採用される。ただし、他の実施例では、香気と無臭の空気とを交互に噴射させ、香気と無臭の空気とを噴射させる回数を変化させる噴射方法、および、香気と無臭の空気とを交互に噴射させ、一度に香気を噴射させる量（噴射量）を変化させる噴射方法などが採用されてもよい。
【００７３】
図１４は上述した本実施例の噴射方法を実現するための制御回路２００の一例を示す図解図である。この制御回路２００は、制御基板上に形成される。図１４に示すように、制御回路２００は、プロセッサ２０２を含み、プロセッサ２０２にはメモリ２０４が接続される。メモリ２０４は、フラッシュメモリやＲＡＭのような書き代え可能な記憶媒体である。また、プロセッサ２０２には、無線通信モジュール２０６が接続される。無線通信モジュール２０６は、Ｂｌｕｅｔｏｏｔｈ（登録商標）方式などの近距離無線通信の技術を用いて通信を行うためのモジュールであり、情報処理装置４から送信された指示信号および制御信号を受信して、プロセッサ２０２に与える。さらに、プロセッサ２０２には、スイッチ回路２０８が接続される。このスイッチ回路２０８には、６個の風力源２６および１個の補助風力源７６のそれぞれに含まれる７個の圧電素子５６の一方端が接続される。これらの圧電素子５６の他方端のそれぞれは、可変抵抗Ｒを介して、制御回路２００の外部に設けられる交番電圧源３００に接続される。
【００７４】
たとえば、スイッチ回路２０８は、７個のスイッチング素子（たとえば、ＦＥＴ）を含み、各圧電素子５６と接地との間にそれぞれ設けられる。プロセッサ２０２は、制御信号に従って、各スイッチング素子をオン／オフする時間を制御したり、各可変抵抗Ｒの抵抗値を制御したり（変化させたり）、または、それらの両方を制御したりする。つまり、風力源２６および補助風力源７６の作動期間および風力源２６および補助風力源７６に含まれる圧電素子５６の振幅の大きさの少なくとも一方を制御する。
【００７５】
なお、上述した情報処理装置４からの指示信号は、嗅覚ディスプレイ１０のプロセッサ２０２に入力される。
【００７６】
また、図１４に示す制御回路２００には、情報処理装置４が出力する、香り成分の濃度を制御（調整）するための制御信号が入力される。たとえば、線形的に濃度を変化させるための制御信号がプロセッサ２０２（嗅覚ディスプレイ１０）に入力されると、これに応じて、嗅覚ディスプレイ１０から噴射される香り成分の濃度が線形的に変化する。ただし、微小な濃度の変化は人間の嗅覚で認識するのは困難であるため、段階的（ステップ状）に濃度を調整するようにしてもよい。そして、本実施例では、濃度は０％（低い）から１００％（高い）までを、任意に調整（制御）することが可能である。ただし、以下の説明では、簡単のため、３段階（高い、普通（中程度）、低い）で濃度を調整する場合について説明する。
【００７７】
本実施例の噴射方法の場合には、香りを放出する期間（以下、「香り放出期間」と言う。）において、放出する香りの香源９０が入れられたカートリッジ１４に設けられた風力源２６の作動期間と、補助風力源７６の作動期間とが反転するように、各風力源（３２、７４）の圧電素子５６が駆動および停止される。ただし、この噴射方法では、各圧電素子５６に波高値が一定値の交番電圧が印加される。具体的には、交番電圧源３００からの交番電圧が各可変抵抗Ｒで降圧され、降圧された交番電圧（たとえば、周波数２６ｋＨｚ、１９．５Ｖｐ−ｐ）が各圧電素子５６に印加される。
【００７８】
なお、香り放出期間は、情報処理装置４からの指示信号において指定される期間（時間）である。
【００７９】
図１５（Ａ）には香り成分の濃度を普通（中程度）に設定するための制御信号が情報処理装置４からプロセッサ２０２に入力された場合に、風力源２６および補助風力源７６の作動を制御する例（作動および停止の時系列の変化）が示される。また、図１５（Ｂ）には、香り成分の濃度を高く設定するための制御信号が情報処理装置４からプロセッサ２０２に入力された場合に、風力源２６および補助風力源７６の作動を制御する例が示される。さらに、図１５（Ｃ）には、香り成分の濃度を低く設定するための制御信号が情報処理装置４からプロセッサ２０２に入力された場合に、風力源２６および補助風力源７６の作動を制御する例が示される。
【００８０】
ただし、図１５（Ａ）−図１５（Ｃ）の風力源２６は、情報処理装置４から指示された香源９０、すなわち放出する香りの香源９０が入れられたカートリッジ１４に設けられた風力源２６である。
【００８１】
上述したように、本実施例の噴射方法では、風力源２６の作動期間と補助風力源７６の作動期間とが反転され、風力源２６と補助風力源７６は交互に作動される。
【００８２】
また、この実施例では、香り成分の濃度に応じて、風力源２６の一回の作動期間は決定されている。
【００８３】
たとえば、香り成分の濃度が普通（中程度）である場合の作動期間を基準（たとえば、１秒）として、香り成分の濃度が高い場合の作動期間は基準の１．５倍（１．５秒）であり、香り成分の濃度が低い場合の作動期間は基準の０．５倍（０．５秒）である。ここで、たとえば、風力源２６の作動を制御する周期を２秒とする。濃度に応じた作動期間および周期についての数値はメモリ２０４に記憶されており、プロセッサ２０２は、情報処理装置４から制御信号を受信すると、これらの数値に従って、スイッチ回路２０８内部に設けられるスイッチング素子のオン／オフを制御する。
【００８４】
図１５（Ａ）に戻って、香り成分の濃度が普通である場合には、風力源２６の一回の作
動期間は１秒であり、作動を制御する周期は２秒であるため、補助風力源７６の一回の作動期間は１秒に設定される。つまり、風力源２６の一回の作動期間と補助風力源７６の一回の作動期間とは同じ長さに設定される。
【００８５】
なお、図１５（Ａ）において、作動期間についてはＨ（ハイレベル）と記載し、停止期間についてはＬ（ローレベル）と記載してあるが、プロセッサ２０２がＦＥＴのようなスイッチング素子に与えるパルスのレベルを意味する。つまり、この実施例では、パルスがハイレベルのときにスイッチング素子はオンされ、パルスがローレベルのときにスイッチング素子はオフされる。
【００８６】
また、図１５（Ｂ）に示すように、香り成分の濃度が高い場合には、風力源２６の一回の作動期間は１．５秒であり、作動を制御する周期は２秒であるため、補助風力源７６の一回の作動期間は０．５秒に設定される。つまり、風力源２６の一回の作動期間は、補助風力源７６の一回の作動期間の３倍の長さに設定される。したがって、香り成分の濃度が普通である場合よりも高くされる。
【００８７】
さらに、図１５（Ｃ）に示すように、香り成分の濃度が低い場合には、風力源２６の一回の作動期間は０．５秒であり、作動を制御する周期は２秒であるため、補助風力源７６の一回の作動期間は１．５秒に設定される。つまり、風力源２６の一回の作動期間は、補助風力源７６の一回の作動期間の１／３の長さに設定される。したがって、香り成分の濃度が普通である場合よりも低くされる。
【００８８】
上記の図１５（Ａ）−図１５（Ｃ）に示した本実施例の噴射方法の場合には、濃度に応じた風力源２６の一回の作動期間を予め決定しておいたが、これに限定される必要はない。たとえば、他の実施例の噴射方法の場合には、風力源２６の一回の作動期間を所定の長さに設定しておき、風力源２６および補助風力源７６を作動させる回数（頻度）で濃度を調整することもできる。したがって、他の実施例の噴射方法では、この作動期間の所定の長さについての情報がメモリ２０４に記憶されている。
【００８９】
図１６は情報処理装置４の電気的な構成を示すブロック図である。図１６を参照して、情報処理装置４は、プロセッサ４００などを含む。プロセッサ４００には、メモリ４０２、アロマパターンデータベース（ＤＢ）４０４、無線通信モジュール４０６、出力装置４０８、入力装置４１０およびＧＰＳ回路４１２などが接続される。ＧＰＳ回路４１２にはＧＰＳアンテナ４１４が接続される。
【００９０】
プロセッサ４００は制御手段とも言われ、情報処理装置４の動作を制御する。また、プロセッサ４００には、日時情報を出力するＲＴＣ４００ａが含まれる。メモリ４０２はＲＯＭ，ＨＤＤおよびＲＡＭを含む。ＲＯＭおよびＨＤＤには、情報処理装置４の動作を制御するための制御プログラムなどが予め記憶される。また、ＲＡＭは、プロセッサ４００のワークメモリやバッファメモリとして用いられる。
【００９１】
アロマパターンＤＢ４０４は記憶手段とも呼ばれ、上述したデバイス情報テーブル、香り成分を噴射するときの噴射パターンを含む噴射パターンテーブル（図１７参照）、香り成分を噴射する設定時刻と噴射パターンとを対応付けた噴射タスクテーブル（図２０参照）および噴射履歴テーブル（図２２参照）などを含む。なお、上述した各テーブルについては、後述するためここでの詳細な説明は省略する。
【００９２】
無線通信モジュール４０６は、Ｂｌｕｅｔｏｏｔｈ方式およびＺｉｇＢｅｅ方式の近距離無線通信の技術を用いて通信を行うためのモジュールである。そのため、無線通信モジュール４０６は、圧力センサ６からユーザの体重を受信すると共に、嗅覚ディスプレイ１
０に指示信号および制御信号を送信する。なお、他の実施例では、各方式に対応する通信モジュールがそれぞれプロセッサ４００に接続されてもよい。
【００９３】
出力装置４０８はディスプレイおよびスピーカなどを含み、入力装置４１０はマイク、マウスおよびタッチパネルなどを含む。たとえば、ユーザは、出力装置４０８および入力装置４１０を利用して、香り空間システム１００に対して噴射パターンなどを入力したり、放出する香りの種類などを設定したりする。
【００９４】
ＧＰＳ回路４１２は、ＧＰＳ機能によって現在位置を測位するときに起動される。ＧＰＳ回路４１２は、ＧＰＳアンテナ４１４によって受信されたＧＰＳ衛星のＧＰＳ信号が入力されると、そのＧＰＳ信号に基づいて測位処理を実行する。その結果、ＧＰＳ情報（位置情報）として、緯度および経度が算出される。
【００９５】
図１７を参照して、上述の噴射パターンテーブルには噴射パターンのパターン項目と対応する、噴射ＩＤ、用途、噴射種類、アロマコード、噴射時間、濃度、パターンおよび噴射の列が含まれる。噴射ＩＤの欄には、噴射パターンを識別するための噴射ＩＤが記憶される。また、１つの噴射パターンは、この噴射ＩＤに対応付けて同一の行に記憶される。つまり、噴射パターンテーブルにおける１つの行が、噴射ＩＤによって識別される１つの噴射パターンを示す。
【００９６】
用途の欄には、噴射パターンの利用目的（用途）が記憶される。利用目的とは、たとえば外出、帰宅および来客などである。用途が「外出」の噴射パターンは、ユーザが出かけるときに利用されることを示している。また、用途が「帰宅」の噴射パターンは、ユーザが自宅に帰ってきたときに利用されることを示している。そして、用途が「来客」の噴射パターンは、ユーザの自宅に第三者が来たときに利用されることを示している。
【００９７】
噴射種類の欄には、１つの噴射パターンによって噴射される香り成分の数を示す。たとえば、噴射種類の欄に「２」と記憶されている場合、２種類の香り成分が噴射される。アロマコードの欄には、噴射される香り成分を示すアロマコードが記憶される。また、記憶されるアロマコードの数は、噴射種類の欄に記憶されている噴射種類の値と対応する。そして、複数のアロマコードが記憶されている場合は、アロマコードの欄に記憶されているアロマコードの順番がそのまま、香り成分を噴射する順番を示す。
【００９８】
また、図示は省略するが、２つ以上のアロマコードが括弧で囲われている場合は、２つ以上の香りを調合して出力することを示す。この場合、一度に２つ以上の香り成分が噴射されることになる。
【００９９】
噴射時間は、１種類の香り成分（アロマコード）における香り放出期間を示す。たとえば、噴射時間の欄に「１０」と記憶されている場合は、１種類の香り成分における香り放出期間が１０秒であることを示す。なお、噴射種類の欄に「２」と記憶されている場合は、２種類の香り成分が１０秒ずつ噴射されることになり、香り放出期間の合計は２０秒（＝２種類×１０秒）となる。
【０１００】
濃度の欄には、濃度が変化する幅（濃度の変化量）が記憶される。パターンの欄には、香り成分が噴射された後の香り成分の濃度の変化のさせ方が記憶される。たとえば、パターンの欄に「強く」が記憶され濃度の欄に「８０」と記憶されている場合は、０％の濃度で香り成分の噴射が開始され、最終的な濃度が８０％となるように濃度が変化することを示す。また、パターンの欄に「弱く」が記憶され濃度の欄に「１００」と記憶されている場合は、１００％の濃度の香り成分が噴射され、最終的な濃度が０％となるように濃度が変化することを示す。そして、パターンの欄に「一定」が記憶され濃度の欄に「７０」と
記憶されている場合は、７０％の濃度で香り成分が噴射され続けることを示す。
【０１０１】
噴射の欄には、たとえば香り成分の噴射を連続的に行うか、間欠的に行うかが記憶される。噴射の欄に「連続」と記憶されている場合、香り成分の噴射が途切れることなく噴射される。一方、噴射の欄に「間欠」と記憶されている場合、香り成分が一定の間隔を空けながら間欠的に噴射される。このように、ユーザは、香りを放出する際に、連続的に放出するか、間欠的に放出するかを任意に選ぶことが出来る。
【０１０２】
図１８（Ａ）および図１８（Ｂ）は、図１７に示す噴射パターンを視覚的に表した画像の一例を示す図解図である。
【０１０３】
図１８（Ａ）を参照して、噴射ＩＤ「０００００１」の噴射パターンでは、噴射種類が１種類であり、アロマコードが「２」であり、噴射時間が２０秒であり、濃度が８０％であり、パターンが「強く」であり、噴射が「連続」である。この場合は、アロマコード２で示される香り成分が連続的に２０秒噴射される。また、濃度は、噴射が開始された時点で０％であり、２０秒かけて強く（８０％）なるように制御される。
【０１０４】
たとえば、上述の噴射パターンは、ユーザが外出するときに利用されることが想定されている。そのため、放出される実際の香りとしては、グレープフルーツおよびレモンなどの柑橘系や、ペパーミントおよびスペアミントなどのハッカ系などであることが望ましい。このような香りは清涼的なイメージを持つため、このような香りが噴射された空間は、ユーザのやる気を向上させる（オンモードにする）空間として形成される。そして、ユーザは、このような空間に入ることで、気分をオンモードに切り替えることが容易になる。
【０１０５】
次に、図１８（Ｂ）を参照して、噴射ＩＤ「０００００２」の噴射パターンでは、噴射種類が２種類であり、アロマコードが「３，４」であり、噴射時間が１０秒であり、濃度が１００％であり、パターンが「弱く」であり、噴射が「間欠」である。この場合は、アロマコード３およびアロマコード４で示される香り成分が、それぞれ１０秒ずつ、間欠的に噴射される。また、濃度は、噴射が開始された時点で１００％であり、２０秒（＝２種類×１０秒）かけて弱く（０％）なるように制御される。そのため、香り成分の噴射が開始されると、まず０％の濃度でアロマコード３と対応する香り成分が間欠的に噴射され、１０秒が経過すると濃度は約５０％になる。続いて、約５０％の濃度でアロマコード４と対応する香り成分が間欠的に噴射され、１０秒が経過すると濃度は約０％になるそして、濃度が０％に達すると、香り成分の噴射が終了する。
【０１０６】
たとえば、上述の噴射パターンは、ユーザが帰宅するときに利用されることが想定されている。そのため、放出される実際の香りとしては、ラベンダーおよびカモミールなどのフローラル系などであることが望ましい。このような香りは鎮静効果を有するため、このような香りが噴射された空間は、ユーザの気持ちをリラックスさせる（オフモードにする）空間として形成される。そして、ユーザは、このような空間に入ることで、気分をオフモードに切り替えることが容易になる。
【０１０７】
また、図示は省略するが、噴射ＩＤ「０００００３」は、ユーザが帰宅するときに利用されることが想定されている。ただし、噴射ＩＤ「０００００２」とは異なり、１種類の香り（アロマコード４）だけが噴射される。これは、噴射ＩＤ「０００００１」の噴射タスクを利用するユーザと、噴射ＩＤ「０００００２」の噴射タスクを利用するユーザとの香りの嗜好が異なるからである。
【０１０８】
また、噴射ＩＤ「０００００４」は、第三者が自宅に来たときに利用されることが想定されている。そのため、外出や帰宅のときに利用される香りとは別の種類の香り（アロマ
コード６）が一定の濃度で噴射されように設定されている。そして、これらの噴射パターンを利用するユーザが異なるため、空間（玄関）を訪れる人それぞれに対応して香りを放出することが可能となる。
【０１０９】
なお、他の実施例では、濃度の変化は直線的なものだけなく、曲線的なもの（指数関数的な変化）であってもよい。たとえば、香りが出力されたときの初期段階では、香り成分の濃度は緩やかに変化し、最終段階になってから濃度が急激に変換するようにしてもよい。逆に、初期段階で香り成分の濃度を急激に変化させた後は、濃度が緩やかに変化するようにしてもよい。
【０１１０】
図１９はユーザ情報テーブルの構成の一例を示す図解図である。ユーザ情報テーブルは、ユーザを識別するために利用され、ユーザ名に対して識別情報が対応付けられている。たとえば、ユーザ「ＡＡＡ」には識別情報として「６５．０Ｋｇ」が対応付けられている。また、ユーザ「ＢＢＢ」には識別情報として「５０．０Ｋｇ」が対応付けられている。たとえば、圧力センサ６によって計測された体重が「６５．０Ｋｇ」であれば、玄関マット（圧力センサ６）に載った人物はユーザ「ＡＡＡ」と判断される。
【０１１１】
なお、ユーザの体重は、服装や荷物によって変動するため、ユーザ情報テーブルに記憶されている体重（識別情報）を基準として「−１Ｋｇ〜＋３Ｋｇ」は許容範囲とされる。たとえば、計測された体重が「６４．５Ｋｇ」や、「６７．０Ｋｇ」であっても、ユーザ「ＡＡＡ」として識別される。
【０１１２】
図２０を参照して、上述した噴射タスクテーブルには噴射タスクのタスク項目と対応する、ユーザ、開始時刻、終了時刻、噴射ＩＤ、繰り返しおよび有効／無効の列が含まれる。また、噴射タスクテーブルにおける１つの行が、１つの噴射タスクを示す。また、本実施例では、ユーザに時間帯および噴射ＩＤなどを対応付けたものを噴射タスクとする。そして、香り空間システム１００では、有効に設定された噴射タスクに基づいて、香りを出力する処理が実行される。
【０１１３】
ユーザの欄には、ユーザ情報テーブルと同様、ユーザの名称である「ＡＡＡ」や「ＢＢＢ」が記憶されると共に、共用の噴射タスクであることを示す「共用」などが記憶される。また、共用の噴射タスクとは、上述したように来客などがあった場合に実行される噴射タスクのことでる。また、具体的には、体重によってユーザが識別されなかった場合に、共用の噴射タスクが実行される。
【０１１４】
開始時刻および終了時刻の欄には、噴射タスクを実行可能な時間帯を示す開始時刻と終了時刻とが記憶される。たとえば、開始時刻が「6:00」であり、終了時刻が「7:30」である場合、６時から７時３０分までの間に有効な識別情報が取得されると、対応する噴射タスクが実行される。言い換えれば、識別情報を取得した時刻が噴射タスクの開始時刻と終了時刻との間に含まれていなければ、その噴射タスクは実行されない。なお、他の実施例では、開始時刻および終了時刻に代えて、時間帯の欄が設けられてもよい。この時間帯の欄に記憶される時間帯（たとえば、「朝」、「夜」）には、開始時刻および終了時刻が事前に対応付けられている。
【０１１５】
噴射ＩＤの欄には噴射ＩＤが記憶される。つまり、噴射ＩＤの欄に記憶される噴射ＩＤによって、ユーザに対応する噴射パターンが示される。
【０１１６】
繰り返しの欄には、噴射タスクを繰り返して利用するか否かを示す情報が記憶される。たとえば、繰り返しの欄に「オフ」が記憶されている場合は、対応する噴射タスクは繰り返して利用されないことを示す。一方、繰り返しの欄に「オン」が記憶されている場合は
、有効な識別情報が取得されるたびに香り成分が噴射されることを示す。
【０１１７】
有効／無効の欄には、噴射タスクが有効であるか否かを示す情報が記憶される。たとえば、有効／無効の欄に「オン」が記憶されている場合は、有効な識別情報を取得したときに、香りを放出する処理が実行される。一方、有効／無効の欄に「オフ」が記憶されている場合は、有効な識別情報を取得しても、香りを放出する処理は実行されない。
【０１１８】
たとえば、図２１を参照して、６時から７時３０分までの間にユーザ「ＡＡＡ」が識別された場合、噴射ＩＤ「０００００１」の噴射パターンに基づいて、香り成分が噴射される。このとき、情報処理装置４のディスプレイには、香り成分が噴射されているときの日時情報（たとえば、「２０１４年９月２８日（日）７時３０分」）と、設定されている用途（たとえば、「外出」）とを含む、噴射画面が表示される。また、この噴射画面には、図１８（Ａ）に示す噴射ＩＤ「０００００１」の噴射パターンを視覚的に表す画像も含まれる。そして、ユーザは、噴射画面を確認することで、放出されている香りの濃度の変化を直感的に把握することが出来る。
【０１１９】
また、図示は省略するが、１８時から１９時３０分の間にユーザ「ＢＢＢ」が識別された場合、噴射ＩＤ「０００００２」の噴射パターンに基づいて、香り成分が噴射される。さらに、「夜」の時間帯にユーザ「ＡＡＡ」が識別された場合、噴射ＩＤ「０００００３」の噴射パターンに基づいて、香り成分が噴射される。そして、圧力センサ６から体重の情報が送信された時刻に関係なく、ユーザを識別できなかった場合は、共用の噴射タスクが実行されるため、噴射ＩＤ「０００００４」の噴射パターンに基づいて、香り成分が噴射される。
【０１２０】
一般的に、香りによる心理的効果はユーザがどの種類の香りに敏感であるかによって左右されるが、本実施例ではユーザに合わせて香りの種類および濃度を調整しながら香りを放出することが出来る。そのため、様々なユーザが利用する空間において、各ユーザ対して適切な香りを提供できる。
【０１２１】
また、設定した時間帯に香りが放出されるようにすることができるため、たとえばユーザが意図しないタイミングで香りが放出されないようにすることが出来る。これにより、カートリッジから香気を放出可能な期間、つまりカートリッジの寿命を延ばすことが出来る。
【０１２２】
また、一人のユーザに対して、放出する香りが異なる複数の噴射タスクを対応付けることが出来る。そのため、ユーザが空間に訪れる時間帯に応じて、適切な香りを放出することが出来る。
【０１２３】
そして、空間に訪れる人物を事前に予測できないような場合であっても、共用の噴射タスクが実行されるため、香りが放出されないというような事態を回避することが出来る。また、不特定多数の人間が行き来するホテルのロビーなどに香り空間システム１００を設けた場合、識別することが出来ない人物に対しては所定の香りを放出し、特定の人物に対しては特定の香りを放出するということも可能である。
【０１２４】
図２２を参照して、上述した噴射履歴テーブルには、噴射日時、季節、時間帯、天気および噴射ＩＤの列が含まれる。噴射日時の欄には、香りが放出されたときの日時（たとえば、「201409270730（２０１４年９月２７日７時３０分）」）が記憶される。また、１つの噴射履歴は、この噴射日時に対応付けて同一の行に記憶される。つまり、噴射履歴テーブルにおける１つの行が、噴射日時によって示される１つの噴射履歴を示す。
【０１２５】
季節の欄には、噴射日時に基づいて決められる春・夏・秋・冬のいずれかの季節が記憶される。本実施例では、噴射日時が示す月が、３−５月であれば春、６−８月であれば夏、９−１１月であれば秋、１２，１，２月であれば冬と判断される。
【０１２６】
時間帯の欄には、噴射日時に基づいて決められる朝・昼・夜のいずれかの時間帯が記憶される。本実施例では、噴射日時が示す時刻が、６−１１時であれば朝、１２−１８時であれば昼、１９−２４時,０−５時であれば夜と判断される。
【０１２７】
天気の欄には、香りが放出されたときの天気が記憶される。本実施例では、ＧＰＳ機能によって測位された位置情報などに基づいて香りが放出された地域を特定し、特定した地域の天気情報がネットワークを介して取得される。そして、天気の欄には取得された天気情報に基づいて天気（たとえば、「晴」）が記憶される。
【０１２８】
噴射ＩＤの欄には、香り成分を噴射するときに利用された噴射パターンの噴射ＩＤが記憶される。
【０１２９】
たとえば、図２０に示すユーザ「ＡＡＡ」の噴射タスクに基づいて香りが放出された場合、噴射時刻が「201409270730」、季節が「秋」、時間帯が「朝」、天気が「曇」および噴射ＩＤが「０００００１」の噴射履歴が作成され、その噴射履歴が噴射履歴テーブルに追加される。
【０１３０】
なお、季節の判断は、香り時計が利用される国または地域によって変化してもよい。たとえば、南半球の地域では、北半球の地域とは逆の季節となる。そのため、他の実施例では、ＧＰＳ機能によって測位された位置情報などに基づいて、季節を判断する基準が変更される。
【０１３１】
また、時間帯の判断は、季節よって変化してもよい。たとえば、その他の実施例では、季節が夏であれば昼と判断される時間帯が長くなるように設定され、夜と判断される時間帯が短くなるように設定される。一方、季節が冬であれば昼と判断される時間帯が短くなるように設定され、夜と判断される時間帯が長くなるように設定される。
【０１３２】
また、位置情報は、情報処理装置４に事前に登録されていてもよい。たとえば、ユーザは、地図データを利用して香り空間システム１００を利用する位置を指定することで、位置情報を事前に登録することが出来る。
【０１３３】
ここで、ユーザは、情報処理装置４を利用して、噴射パターンを設定して、噴射タスクを作成することが出来る。つまり、ユーザは、空間に訪れたときに任意の香りが放出されるようにすることが出来る。また、他の実施例では、ユーザは設定した噴射パターンや、作成した噴射タスクを再編集することが出来てもよい。この場合、ユーザは、噴射パターンの設定および噴射タスクの作成を容易に行うことが出来る。
【０１３４】
また、ユーザは、新しい噴射タスクを作成する際に、噴射履歴テーブルの内容を参考にすることも出来る。
【０１３５】
なお、その他の実施例では、ユーザを識別する手段として、画像認識用のカメラや、体型（身長など）を検出するための赤外線センサなどを備える、識別装置が利用されてもよい。また、本実施例の圧力センサ６、カメラまたは赤外線センサのいずれかを２つ以上を、識別装置に接続することでユーザを識別してもよい。そして、カメラまたは赤外線センサなどが利用される場合は、ユーザ情報テーブルには、体型を示す情報（たとえば、身長）や、画像認識用の顔画像の特徴量などが記憶される。
【０１３６】
また、さらにその他の実施例では、携帯電話機が有するＮＦＣ方式などの近距離無線通信を利用して、その携帯電話機を所持するユーザを識別するようにしてもよい。たとえば、玄関の施錠手段としてＩＣカードキーシステムを設置し、ＩＣカードの代わりとしてＮＦＣ方式の近距離無線通信に対応する携帯電話機を利用することが考えられる。この場合、鍵を開場するための情報にユーザ情報を対応付けておけば、ユーザが携帯電話機を利用して玄関のカギを開錠すれば、そのユーザを識別することが出来る。
【０１３７】
また、他の実施例では、情報処理装置４および嗅覚ディスプレイ１０が行う近距離無線通信にも、ＺｉｇＢｅｅ方式などの近距離無線通信が採用されてもよい。
【０１３８】
上述では本実施例の特徴を概説した。以下では、図２３に示す情報処理装置４のメモリ４０２のメモリマップおよび図２４、図２５に示すフロー図を用いて本実施例について詳細に説明する。
【０１３９】
図２３は情報処理装置４のメモリ４０２のメモリマップの一例を示す図解図である。図２３に示すように、メモリ４０２はプログラム記憶領域５０２およびデータ記憶領域５０４を含む。プログラム記憶領域５０２には、情報処理装置４を動作させるためのプログラムとして、噴射パターンを設定し、噴射タスクを作成するための噴射タスク作成プログラム５１０および作成された噴射タスクに従って香りを放出させるための噴射タスク管理プログラム５１２などが記憶される。なお、図示は省略するが、情報処理装置４を動作させるためのプログラムには、情報処理装置４の基本動作を制御するためのプログラムなども含まれる。
【０１４０】
データ記憶領域５０４には、時刻バッファ５３０、無線通信バッファ５３２、噴射パターンバッファ５３４、噴射タスクバッファ５３６、ユーザ情報バッファ５３８および環境情報バッファ５４０などが設けられると共に、ユーザ情報テーブル５４２などが記憶される。
【０１４１】
時刻バッファ５３０には、ＲＴＣ４００ａから出力される時刻情報が一時的に記憶される。無線通信バッファ５３２には、圧力センサ６から送信された体重（識別情報）が一時的に記憶される。
【０１４２】
噴射パターンバッファ５３４には、設定中の噴射パターンの各パターン項目（たとえば、噴射種類や、アロマコードなど）が一時的に記憶される。噴射タスクバッファ５３６には、作成中の噴射タスクの各タスク項目（たとえば、設定時刻など）が一時的に記憶される。ユーザ情報バッファ５３８には、たとえば噴射タスクを設定するときに入力されたユーザ情報が一時的に記憶される。環境情報バッファ５４０には、香りが放出されたときの噴射日時、季節、時間帯および天気などが一時的に記憶される。
【０１４３】
ユーザ情報テーブル５４２は、たとえば図１９に示す構成のテーブルであり、ユーザ名に識別情報を対応付けて記憶している。
【０１４４】
なお、図示は省略するが、データ記憶領域５０４には、噴射画面を表示するためのデータや、様々な計算の結果を一時的に格納するバッファや、情報処理装置４の動作に必要な他のカウンタやフラグなども設けられる。
【０１４５】
情報処理装置４のプロセッサ４００は、Ｌｉｎｕｘ（登録商標）ベースのＯＳや、その他のＯＳの制御下で、図２３に示す噴射タスク作成処理および図２４に示す噴射タスク管理処理などを含む、複数のタスクを処理する。
【０１４６】
図２４は噴射タスク作成処理のフロー図である。たとえば、噴射タスクを作成する機能を実行する操作がされると、噴射タスク作成処理が実行される。噴射タスク作成処理が実行されると、プロセッサ４００はステップＳ１で、パターン項目が入力されたかを判断する。たとえば、用途、噴射種類、アロマコード、噴射時間、濃度、パターンおよび噴射の各パターン項目が、情報処理装置４の入力装置４１０を利用して入力され、その入力を確定させる操作がされたかが判断される。なお、入力中のパターン項目は、噴射パターンバッファ５３４に記憶される。
【０１４７】
ステップＳ１で“ＮＯ”であれば、たとえば入力されたパターン項目を確定させる操作がされなければ、プロセッサ４００はステップＳ１の処理を繰り返す。一方、ステップＳ１で“ＹＥＳ”であれば、たとえば入力されたパターン項目を確定させる操作がされると、ステップＳ３でプロセッサ４００は、パターン項目に基づいて噴射パターンを作成する。たとえば、パターン項目として、用途が「外出」、噴射種類が「１」、アロマコードが「２」、噴射時間が「２０秒」、濃度が「８０」、パターンが「強く」および噴射が「連続」と入力された場合、図１７に示すように、噴射ＩＤ「０００００１」の噴射パターンが設定される。ここで、新たに追加される噴射パターンの噴射ＩＤは、噴射パターンテーブルに記憶されている最新の噴射パターンの噴射ＩＤに基づいて決められる。たとえば、最新の噴射パターンの噴射ＩＤが「０００００１」である場合、新たに追加される噴射パターンの噴射ＩＤは、最新の噴射パターンの噴射ＩＤに対して「１」を加えた（インクリメントされた）噴射ＩＤとなる。また、噴射パターンが登録されていない場合は、最初の噴射パターンであることを示す「０００００１」が噴射ＩＤとされる。
【０１４８】
そして、設定された噴射パターンは、噴射パターンテーブルに追加される。なお、ステップＳ３の処理を実行するプロセッサ４００は設定手段として機能する。
【０１４９】
続いて、ステップＳ５でプロセッサ４００は、時間帯が設定されたか否かを判断する。つまり、香りを放出することが可能な開始時刻および終了時刻が設定されたかが判断される。ステップＳ５で“ＮＯ”であれば、たとえば入力された開始時刻および終了時刻を確定させる操作がされていなければ、プロセッサ４００はステップＳ５の処理を繰り返す。一方、ステップＳ５で“ＹＥＳ”であれば、たとえば入力された開始時刻および終了時刻を確定させる操作がされると、ステップＳ７でプロセッサ４００は、噴射パターンと設定時刻とを対応付けて噴射タスクを作成する。また、作成された噴射タスクは、噴射タスクバッファ５３６に記憶される。
【０１５０】
続いて、ステップＳ９でプロセッサ４００は、繰り返しが有効にされたか否かを判断する。つまり、作成された噴射タスクを繰り返す設定がされたかが判断される。ステップＳ９で“ＮＯ”であれば、つまり噴射タスクを繰り返す設定がされなければ、プロセッサ４００は噴射タスクにおける繰り返しのタスク項目を「オフ」にし、ステップＳ１３の処理に進む。
【０１５１】
一方、ステップＳ９で“ＹＥＳ”であれば、たとえば噴射タスクを繰り返す設定がされると、ステップＳ１１でプロセッサ４００は、作成した噴射タスクの繰り返しをオンに設定する。つまり、噴射タスクにおける繰り返しのタスク項目が「オン」にされる。
【０１５２】
続いて、ステップＳ１３でプロセッサ４００は、作成した噴射タスクを有効に設定する。つまり、噴射タスクの有効／無効のタスク項目が「有効」にされる。これは、作成した噴射タスクが利用されない可能性は極めて低いため、本実施例では噴射タスクの有効／無効のタスク項目が自動的に「有効」にされる。ただし、他の実施例では、有効にするか否かを確認した後、このタスク項目に対して「有効」または「無効」が設定されてもよい。
【０１５３】
続いて、ステップＳ１５でプロセッサ４００は、ユーザ情報が入力されたか否かを判断する。たとえば、ユーザを識別するための情報として、ユーザ名（たとえば、「ＡＡＡ」）および識別情報（たとえば、「６５．０Ｋｇ」）が入力されたかが判断される。そして、入力されたユーザ名および識別情報は、ユーザ情報バッファ５３８に記憶される。なお、識別情報を入力する際には、体重を示す数値が直接入力されてもよいし、ユーザが圧力センサ６に乗ることで実際の体重を入力してもよい。ステップＳ１５で“ＮＯ”であれば、たとえば入力したユーザ情報を確定する操作がされなければ、プロセッサ４００はステップＳ１５の処理を繰り返す。
【０１５４】
一方、ステップＳ１５で“ＹＥＳ”であれば、たとえば入力したユーザ情報を確定する操作がされると、ステップＳ１７でプロセッサ４００は、ユーザ情報を対応付けた噴射タスクを噴射タスクテーブルに追加する。たとえば、ユーザ情報バッファ５３８に記憶されているユーザ名に作成された噴射タスクを対応付け、その噴射タスクが噴射タスクテーブルに追加される。続いて、ステップＳ１９でプロセッサ４００は、ユーザ情報をユーザ情報テーブルに追加する。たとえば、プロセッサ４００は、ユーザ情報バッファ５３８に記憶されているユーザ名に識別情報（体重）を対応付けて、ユーザ情報テーブル５４２に追加する。そして、ステップＳ１９の処理が終了すると、プロセッサ４００は、噴射タスク作成処理を終了する。
【０１５５】
図２５は噴射タスク管理処理のフロー図である。たとえば、圧力センサ６が検出した体重を受信し、無線通信バッファ５３２にその体重が記憶されると噴射タスク管理処理が実行される。
【０１５６】
噴射タスク管理処理が実行されると、プロセッサ４００はステップＳ３１で、ユーザを識別する。つまり、無線通信バッファ５３２に記憶されているユーザの体重（識別情報）と一致する体重が、ユーザ情報テーブルに記憶されているかが検索される。
【０１５７】
続いて、ステップＳ３３でプロセッサ４００は、識別されたユーザの噴射タスクがあるか否かを判断する。つまり、ステップＳ３１で行われた検索によって、受信した体重と一致する体重を識別情報とするユーザ情報が発見され、そのユーザ情報と対応する噴射タスクが噴射タスクテーブルに登録されているかが判断される。ステップＳ３３で“ＹＥＳ”であれば、つまり受信した体重と一致する体重を識別情報とするユーザ情報が発見され、そのユーザ情報と対応する噴射タスクが登録されていれば、ステップＳ３５でプロセッサ４００は、識別情報が一致する噴射タスクを取得する。たとえば、受信した体重が「６５．０Ｋｇ」であれば、図２０に示すユーザ「ＡＡＡ」の噴射タスクが、噴射タスクテーブルから取得される。そして、ステップＳ３５の処理が終了すれば、プロセッサ４００はステップＳ３９の処理に進む。
【０１５８】
一方、ステップＳ３３で“ＮＯ”であれば、受信した体重と一致する体重を識別情報とするユーザ情報が発見なかったか、発見されたユーザ情報と対応する噴射タスクが登録されていなければ、ステップＳ３７でプロセッサ４００は、共用の噴射タスクを取得する。たとえば、図２０に示す「共用」の噴射タスクが噴射タスクテーブルから取得される。
【０１５９】
続いて、ステップＳ３９でプロセッサ４００は、取得された噴射タスクが有効か否かを判断する。つまり、取得された噴射タスクにおいて、有効／無効のタスク項目に有効が記憶されているかが判断される。ステップＳ３９で“ＮＯ”であれば、つまり取得された噴射タスクが有効でなければ、プロセッサ４００は噴射タスク管理処理を終了する。
【０１６０】
続いて、ステップＳ４１でプロセッサ４００は、時間帯が設定されているか否かを判断
する。つまり、取得された噴射タスクにおいて、開始時刻および終了時刻のタスク項目に各時刻が記憶されているかが判断される。ステップＳ４１で“ＮＯ”であれば、たとえば「共用」の噴射タスクのように、開始時刻および終了時刻が設定されていなければ、プロセッサ４００はステップＳ４５の処理に進む。
【０１６１】
一方、ステップＳ４１で“ＹＥＳ”であれば、たとえばユーザ「ＡＡＡ」の噴射タスクのように時間帯が設定されていれば、ステップＳ４３でプロセッサ４００は、現在時刻が時間帯に含まれて入れているか否かを判断する。つまり、時刻バッファ５３０に記憶されている時刻情報が、開始時刻および終了時刻によって示される時間帯に含まれているかが判断される。ステップＳ４３で“ＮＯ”であれば、つまり現在時刻が時間帯に含まれていなければ、プロセッサ４００は噴射タスク管理処理を終了する。
【０１６２】
続いて、ステップＳ４５でプロセッサ４００は、取得した噴射タスクに基づいて噴射パターンを取得する。たとえば、ユーザ「ＡＡＡ」の噴射タスクが取得されている場合は、噴射ＩＤ「０００００１」の噴射パターンが噴射パターンテーブルから取得される。
【０１６３】
続いて、ステップＳ４７でプロセッサ４００は、噴射パターンに基づいて指示信号および制御信号を出力する。たとえば、図１７に示す噴射ＩＤ「０００００１」の噴射パターンが示すように香りが放出されるように、指示信号および制御信号が嗅覚ディスプレイ１０に出力される。また、これらの信号が出力されると、情報処理装置４のディスプレイには図２１に示すような噴射画面が表示される。なお、ステップＳ４７の処理を実行するプロセッサ４００は制御手段として機能する。
【０１６４】
続いて、ステップＳ４９でプロセッサ４００は、繰り返しが設定されているか否かを判断する。つまり、取得した噴射タスクにおいて繰り返しのタスク項目が「オン」にされているかが判断される。ステップＳ４９で“ＹＥＳ”であれば、つまり繰り返しのタスク項目が「オン」であれば、プロセッサ４００はステップＳ５３の処理に進む。一方、ステップＳ４９で“ＮＯ”であれば、つまり繰り返しのタスク項目が「オフ」であれば、ステップＳ５１でプロセッサ４００は、取得された噴射タスクを無効に切り替える。つまり、取得された噴射タスクが繰り返されないようにするために、繰り返しのタスク項目が「オフ」にされる。
【０１６５】
続いて、ステップＳ５３でプロセッサ４００は、環境情報を取得する。つまり、時刻バッファ５３０に記憶される時刻情報から噴射日時を取得し、その噴射日時から季節および時間帯が取得される。また、位置情報に基づいて、ネットワーク上に公開されている現在位置の天気情報が取得される。そして、取得されたこれらの情報が環境情報として環境情報バッファ５４０に記憶される。続いて、ステップＳ５５でプロセッサ４００は、噴射履歴を作成する。つまり、環境情報バッファ５４０に記憶される環境情報と、取得された噴射タスクの噴射ＩＤとに基づいて噴射履歴が作成される。続いて、ステップＳ５７でプロセッサ４００は、作成した噴射履歴を噴射履歴テーブルに追加する。たとえば、ユーザ「ＡＡＡ」の噴射タスクに基づいて香りが放出された場合は、図２２に示すような噴射履歴が追加される。
【０１６６】
そして、ステップＳ５７の処理が終了すると、プロセッサ４００は噴射タスク管理処理を終了する。
【０１６７】
なお、他の実施例では、噴射タスクテーブルの内容が噴射パターンテーブルに統合されてもよい。
【０１６８】
また、香り空間システム１００は、家の玄関だけでなく、ホテルのロビーや、病院の共
用スペースなど様々な場所で利用されてもよい。
【０１６９】
また、用途のパターン項目には、ユーザが仕事（勉強）を行うときに設定される「仕事（勉強）」や、勉強などの合間にとられる「休憩」などが記憶されてもよい。また、用途が「仕事」に設定されている場合、放出される香りの実際の香りとしては、集中力を高める効果が期待できるレモングラスやベルガモットなどであることが望ましい。一方、用途が「休憩」に設定されている場合、放出される香りの実際の香りとしては、ヒノキやローズマリーなどのリラックス系の香りであることが望ましい。そして、このような用途の噴射パターンは、オフィスの入り口や休憩室の入り口に、香り空間システム１００が設けられたときに用いられる。
【０１７０】
また、その他の実施例では、アロマパターンＤＢ４０４はサーバに記憶されていてもよい。この場合、情報処理装置４は、ネットワークを介してサーバからアロマパターンＤＢ４０４のデータを取得する。
【０１７１】
また、嗅覚ディスプレイ１０が設けられる位置は、天井ではなく壁であってもよいし、三脚の雲台などに取り付けられた状態で任意の位置に置かれてもよい。
【０１７２】
また、さらにその他の実施例では、圧力センサ６および嗅覚ディスプレイ１０は、平面座標上の略同じ位置に設置されていなくてもよい。たとえば、図１に示す玄関の通路において嗅覚ディスプレイ１０よりも前に圧力センサ６が設けられてもよい。この場合、ユーザが識別されてから一定時間が経過した後、つまりユーザが嗅覚ディスプレイ１０の位置に到達したと推定される時間が経過した後に香りが放出される。このようにすることで、ユーザを識別する処理に時間がかかり、香りを放出するまでにタイムラグが生じてしまう場合であっても、適切なタイミングで香りを放出することが出来る。
【０１７３】
また、他の実施例では、図１に示す玄関の通路などのようにユーザの進行方向が限定される場合は、ユーザの進行方向を検出し、各進行方向を対応付けた複数の圧力センサ６を設けるようにしてもよい。これにより、ユーザを事前に識別して、ユーザが嗅覚ディスプレイ１０の位置に到達したときに香りを放出することが出来る。また、複数の圧力センサ６のそれぞれに進行方向を対応付けることで、誤って香りが放出されるような事態を回避することが出来る。なお、ユーザの進行方向の検出には、レーザレンジファインダ（ＬＲＦ）や距離画像センサなどの利用が想定される。
【０１７４】
また、情報処理装置４と嗅覚ディスプレイ１０とが、１つの装置として構成されてもよい。
【０１７５】
また、本実施例で説明した複数のプログラムは、データ配信用のサーバのＨＤＤに記憶され、ネットワークを介して本実施例と同等の構成の香り空間システム１００（情報処理装置４）に配信されてもよい。また、ＣＤ,ＤＶＤ, ＢＤ(Ｂｌｕ-ｒａｙ（登録商標） Ｄｉｓｃ)などの光学ディスク、ＵＳＢメモリおよびメモリカードなどの記憶媒体にこれら
のプログラムを記憶させた状態で、その記憶媒体が販売または配布されてもよい。そして、上記したサーバや記憶媒体などを通じてダウンロードされた、上記複数のプログラムが、本実施例と同等の構成のシステムに適用された場合、本実施例と同等の効果が得られる。
【０１７６】
そして、本明細書中で挙げた、具体的な数値は、いずれも単なる一例であり、製品の仕様変更などに応じて適宜変更可能である。
【符号の説明】
【０１７７】
４  …情報処理装置
６  …圧力センサ
１０  …嗅覚ディスプレイ
１４  …香源カートリッジ
２４  …カートリッジ収容室
２６  …風力源
５６  …圧電素子
７６  …補助風力源
１００  …香り空間システム
２００  …制御回路
４００  …プロセッサ
４０２  …メモリ
４０４  …アロマパターンデータベース
【図１】
2020062415.tif 000003
【図２】
2020062415.tif 000004
【図３】
2020062415.tif 000005
【図４】
2020062415.tif 000006
【図５】
2020062415.tif 000007
【図６】
2020062415.tif 000008
【図７】
2020062415.tif 000009
【図８】
2020062415.tif 000010
【図９】
2020062415.tif 000011
【図１０】
2020062415.tif 000012
【図１１】
2020062415.tif 000013
【図１２】
2020062415.tif 000014
【図１３】
2020062415.tif 000015
【図１４】
2020062415.tif 000016
【図１５】
2020062415.tif 000017
【図１６】
2020062415.tif 000018
【図１７】
2020062415.tif 000019
【図１８】
2020062415.tif 000020
【図１９】
2020062415.tif 000021
【図２０】
2020062415.tif 000022
【図２１】
2020062415.tif 000023
【図２２】
2020062415.tif 000024
【図２３】
2020062415.tif 000025
【図２４】
2020062415.tif 000026
【図２５】
2020062415.tif 000027
【手続補正書】
【提出日】令和2年1月6日(2020.1.6)
【手続補正１】
【補正対象書類名】明細書
【補正対象項目名】０００８
【補正方法】変更
【補正の内容】
【０００８】
第１の発明は、複数の特定人が通る通路を有する空間に香りを放出する、香り空間システムであって、通路に関連して配置され、複数のカートリッジ装着場所の各々へ、香源を含むカートリッジを装着し、各カートリッジ内の香源から香り成分を噴射させることによって複数の香りを放出できる嗅覚ディスプレイ、および複数の特定人のそれぞれに対して、１つの香り成分または同時に２つ以上の香り成分が噴射されるように、香りを対応付けた噴射パターンを記憶する記憶手段を備え、記憶手段は複数の特定人のそれぞれに対して噴射タスクの開始時刻および終了時刻を記憶し、さらに嗅覚ディスプレイの位置を通る人が複数の特定人のうちのだれかを識別する識別手段、および識別手段によって特定人が識別されたとき識別された特定人に対応する噴射パターンを記憶手段から読み出し、特定人を識別した時刻が開始時刻と終了時刻で示される時間帯内のとき、当該噴射パターンに基づいて、噴射タスクを実行するよう、嗅覚ディスプレイを制御する制御手段を備える、香り空間システムである。
【手続補正２】
【補正対象書類名】明細書
【補正対象項目名】０００９
【補正方法】変更
【補正の内容】
【０００９】
第１の発明では、香り空間システム（１００：実施例において対応する部分を例示する参照符号。以下、同じ。）は、たとえば人が通る通路を有する玄関などの空間に香りを放出する。嗅覚ディスプレイ（１０）は、たとえば通路の天井に配置され、香源を含むカートリッジ（１４）が装着されており、各カートリッジ内の香源から香り成分を噴射させることによって複数の香りを放出することができる。記憶手段（４０４）は、たとえばデータベースと呼ばれ、複数の特定人のそれぞれに対して、１つの香り成分または同時に２つ以上の香り成分が噴射される噴射タスクを実行できるように、香りを対応付けた噴射パターンを記憶するとともに、それぞれの特定人に対して噴射タスクの開始時刻および終了時刻を記憶する。識別手段（６）は、たとえば圧力センサであり、人の体重を利用して、嗅覚ディスプレイの位置を通る人を識別する。制御手段（４００，Ｓ４７）は、特定人が識別されると、特定人を識別した時刻が開始時刻と終了時刻で示される時間帯内のとき、識別された特定人に対応する香りを、噴射パターンに基づいて放出させるように嗅覚ディスプレイを制御する。
【手続補正３】
【補正対象書類名】明細書
【補正対象項目名】００１０
【補正方法】変更
【補正の内容】
【００１０】
第１の発明によれば、特定人とその特定人に設定した時間帯に合わせて香りの種類を調整しながら香りを放出することが出来る。
【手続補正４】
【補正対象書類名】明細書
【補正対象項目名】００１１
【補正方法】変更
【補正の内容】
【００１１】
第２の発明は、第１の発明に従属し、記憶手段は、同一の特定人に関して、第１開始時刻および第１終了時刻で示される第１時間帯および第２開始時刻および第２終了時刻で示される第２時間帯を設定し、制御手段は、特定人を識別した時刻が第１時間帯または第２時間帯内のとき、噴射パターンに基づいて、噴射タスクを実行するよう、嗅覚ディスプレイを制御する、香り空間システムである。
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】変更
【補正の内容】
【００１４】
第３の発明は、第２の発明に従属し、記憶手段は、第１時間帯においては第１噴射パターンを設定し、第２時間帯においては第１噴射パターンとは異なる第２噴射パターンを設定し、制御手段は、特定人を識別した時刻が第１時間帯または第２時間帯内のとき、第１噴射パターンまたは第２噴射パターンに基づいて、噴射タスクを実行するよう、嗅覚ディスプレイを制御する、香り空間システムである。
【手続補正８】
【補正対象書類名】明細書
【補正対象項目名】００１５
【補正方法】削除
【補正の内容】
【手続補正９】
【補正対象書類名】明細書
【補正対象項目名】００１６
【補正方法】削除
【補正の内容】
【手続補正１０】
【補正対象書類名】明細書
【補正対象項目名】００１７
【補正方法】変更
【補正の内容】
【００１７】
第４の発明は、第３の発明に従属し、第１噴射パターンおよび第２噴射パターンは、香り成分の種類および香り成分の濃度の少なくとも一方において異なる、香り空間システムである。
【手続補正１１】
【補正対象書類名】明細書
【補正対象項目名】００１８
【補正方法】削除
【補正の内容】
【手続補正１２】
【補正対象書類名】明細書
【補正対象項目名】００１９
【補正方法】削除
【補正の内容】
【手続補正１３】
【補正対象書類名】明細書
【補正対象項目名】００２０
【補正方法】削除
【補正の内容】
【手続補正１４】
【補正対象書類名】明細書
【補正対象項目名】００２１
【補正方法】変更
【補正の内容】
【００２１】
第５の発明は、複数の特定人が通る通路に関連して配置され、複数のカートリッジ装着場所の各々へ、香源を含むカートリッジを装着し、各カートリッジ内の香源から香り成分を噴射させることによって複数の香りを放出できる嗅覚ディスプレイ、および複数の特定人のそれぞれに対して、１つの香り成分または同時に２つ以上の香り成分が噴射されるように、香りを対応付けた噴射パターンを記憶するとともに、複数の特定人のそれぞれに対して噴射タスクの開始時刻および終了時刻を記憶する記憶手段を設けた香り空間システムのコンピュータによって実行され、コンピュータを、嗅覚ディスプレイの位置を通る人が複数の特定人のうちのだれかを識別する識別手段、および 識別手段によって特定人が識別されたとき識別された特定人に対応する噴射パターンを記憶手段から読み出し、特定人を識別した時刻が開始時刻と終了時刻で示される時間帯内のとき、当該噴射パターンに基づいて、噴射タスクを実行するよう、嗅覚ディスプレイを制御する制御手段として機能させる、香り空間システムプログラム。
【手続補正１５】
【補正対象書類名】明細書
【補正対象項目名】００２２
【補正方法】削除
【補正の内容】
【手続補正１６】
【補正対象書類名】明細書
【補正対象項目名】００２３
【補正方法】削除
【補正の内容】
【手続補正１７】
【補正対象書類名】明細書
【補正対象項目名】００２４
【補正方法】削除
【補正の内容】
【手続補正１８】
【補正対象書類名】明細書
【補正対象項目名】００２５
【補正方法】削除
【補正の内容】
【手続補正１９】
【補正対象書類名】明細書
【補正対象項目名】００２６
【補正方法】削除
【補正の内容】
【手続補正２０】
【補正対象書類名】明細書
【補正対象項目名】００２７
【補正方法】削除
【補正の内容】
【手続補正２１】
【補正対象書類名】明細書
【補正対象項目名】００２８
【補正方法】削除
【補正の内容】
【手続補正２２】
【補正対象書類名】明細書
【補正対象項目名】００２９
【補正方法】削除
【補正の内容】
【手続補正２３】
【補正対象書類名】明細書
【補正対象項目名】００３０
【補正方法】変更
【補正の内容】
【００３０】
この発明によれば、特定人とその特定人に設定した時間帯に合わせて香りの種類を調整しながら香りを放出することができる。
【手続補正２４】
【補正対象書類名】特許請求の範囲
【補正対象項目名】全文
【補正方法】変更
【補正の内容】
【特許請求の範囲】
【請求項１】
図２５ステップＳ４３
複数の特定人が通る通路を有する空間に香りを放出する、香り空間システムであって、
前記通路に関連して配置され、複数のカートリッジ装着場所の各々へ、香源を含むカートリッジを装着し、各カートリッジ内の香源から香り成分を噴射させることによって複数の香りを放出できる嗅覚ディスプレイ、および
前記複数の特定人のそれぞれに対して、１つの香り成分または同時に２つ以上の香り成分が噴射されるように、香りを対応付けた噴射パターンを記憶する記憶手段を備え、
前記記憶手段は前記複数の特定人のそれぞれに対して噴射タスクの開始時刻および終了時刻を記憶し、さらに
前記嗅覚ディスプレイの位置を通る人が前記複数の特定人のうちのだれかを識別する識別手段、および
前記識別手段によって特定人が識別されたとき識別された特定人に対応する前記噴射パターンを前記記憶手段から読み出し、前記特定人を識別した時刻が前記開始時刻と前記終了時刻で示される時間帯内のとき、当該噴射パターンに基づいて、噴射タスクを実行するよう、前記嗅覚ディスプレイを制御する制御手段を備える、香り空間システム。
【請求項２】
前記記憶手段は、同一の特定人に関して、第１開始時刻および第１終了時刻で示される第１時間帯および第２開始時刻および第２終了時刻で示される第２時間帯を設定し、前記制御手段は、前記特定人を識別した時刻が前記第１時間帯または前記第２時間帯内のとき、前記噴射パターンに基づいて、噴射タスクを実行するよう、前記嗅覚ディスプレイを制御する、請求項１記載の香り空間システム。
【請求項３】
前記記憶手段は、前記第１時間帯においては第１噴射パターンを設定し、前記第２時間帯においては前記第１噴射パターンとは異なる第２噴射パターンを設定し、前記制御手段は、前記特定人を識別した時刻が前記第１時間帯または前記第２時間帯内のとき、前記第１噴射パターンまたは前記第２噴射パターンに基づいて、噴射タスクを実行するよう、前記嗅覚ディスプレイを制御する、請求項２記載の香り空間システム。
【請求項４】
前記第１噴射パターンおよび前記第２噴射パターンは、前記香り成分の種類および前記香り成分の濃度の少なくとも一方において異なる、請求項３記載の香り空間システム。
【請求項５】
複数の特定人が通る通路に関連して配置され、複数のカートリッジ装着場所の各々へ、香源を含むカートリッジを装着し、各カートリッジ内の香源から香り成分を噴射させることによって複数の香りを放出できる嗅覚ディスプレイ、および前記複数の特定人のそれぞれに対して、１つの香り成分または同時に２つ以上の香り成分が噴射されるように、香りを対応付けた噴射パターンを記憶するとともに、前記複数の特定人のそれぞれに対して噴射タスクの開始時刻および終了時刻を記憶する記憶手段を設けた香り空間システムのコンピュータによって実行され、前記コンピュータを、
前記嗅覚ディスプレイの位置を通る人が前記複数の特定人のうちのだれかを識別する識別手段、および
前記識別手段によって特定人が識別されたとき識別された特定人に対応する前記噴射パターンを前記記憶手段から読み出し、前記特定人を識別した時刻が前記開始時刻と前記終了時刻で示される時間帯内のとき、当該噴射パターンに基づいて、噴射タスクを実行するよう、前記嗅覚ディスプレイを制御する制御手段
として機能させる、香り空間システムプログラム。